(57)【要約】【課題】簡易な設備で、多数の投影対象に画像コンテンツを投影すること。【解決手段】路上の路線バスなどの車両１００に対して、例えば、広告映像や行先表示を含む画像コンテンツを投影可能に設置される投影部３と、路上の路線バスなどの車両１００について、例えば、運行会社を含む属性を判断する属性判断部６と、属性判断部６が判断した属性に基づき、投影部３によって路上の路線バスなどの車両１００に対し画像コンテンツを投影する制御を行う投影制御部７とを備える。【選択図】図１
2019080163.tif 000002
【特許請求の範囲】
【請求項１】
移動可能な移動体に対して画像を投影可能に設置される投影部と、
前記移動体の属性を判断する属性判断部と、
前記属性判断部が判断した属性に基づき、前記投影部によって前記移動体に対し前記画像を投影する制御を行う投影制御部と、
を備えることを特徴とする画像投影システム。
【請求項２】
前記属性判断部は、前記移動体が特定の団体または個人によって運行されている移動体であるかを判断し、
前記投影制御部は、前記移動体が特定の団体または個人によって運行されている移動体である場合、前記移動体に対し前記画像を投影制御を行う、
請求項１に記載の画像投影システム。
【請求項３】
前記属性判断部は、前記移動体が前記画像の投影を許可している移動体であるかを判断し、
前記投影制御部は、前記移動体が前記画像の投影を許可している移動体である場合、前記移動体に対し前記画像を投影する制御を行う、
請求項１または２に記載の画像投影システム。
【請求項４】
前記移動体の形態を認識する認識部をさらに備え、
前記投影制御部は、前記移動体の移動に合わせて、前記認識部による認識結果に基づき前記移動体の形態に合わせて前記移動体に対し前記画像を投影する制御を行う、
請求項１から３のいずれか１項に記載の画像投影システム。
【請求項５】
前記移動体の形態を認識する認識部をさらに備え、
前記投影制御部は、前記移動体が形態が異なる場合であっても、前記認識部による認識結果に基づき前記移動体に合わせて前記移動体に対し前記画像を投影する制御を行う、
請求項１から３のいずれか１項に記載の画像投影システム。
【請求項６】
移動可能な移動体の属性を判断する属性判断ステップと、
前記属性判断部が判断した属性に基づき、前記移動体に対して画像を投影可能に設置された投影部によって前記移動体に対し前記画像を投影する制御を行う投影制御ステップと、
を含む画像投影方法。
【請求項７】
移動可能な移動体の属性を判断する属性判断ステップと、
前記属性判断部が判断した属性に基づき、前記移動体に対して画像を投影可能に設置された投影部によって前記移動体に対し前記画像を投影する制御を行う投影制御ステップと、
をコンピュータに実行させるためのプログラム。
【発明の詳細な説明】
【技術分野】
【０００１】
本発明は、画像投影システム、画像投影方法およびプログラムに関する。
【背景技術】
【０００２】
例えば、車両を用いた広告表示は、車体のラッピングや表示パネルを使用するものがある。また、車体に広告映像を投影する技術が知られている（例えば、特許文献１参照）。特許文献１に記載の技術は、広告用の映像、画像を、荷台上に設置されたプロジェクタを通して、車両に配置されたスクリーンに投影する。
【先行技術文献】
【特許文献】
【０００３】
【特許文献１】特開２０１０−２８６８０１号公報
【発明の概要】
【発明が解決しようとする課題】
【０００４】
特許文献１に記載の技術では、画像コンテンツを投影するすべての車両にプロジェクタとスクリーンとを設置する。このため多数の車両に画像コンテンツを投影する場合、多数の設備を要する。
【０００５】
本発明は、上記に鑑みてなされたものであって、簡易な設備で、多数の投影対象に画像コンテンツを投影することを目的とする。
【課題を解決するための手段】
【０００６】
上述した課題を解決し、目的を達成するために、本発明に係る画像投影システムは、移動可能な移動体に対して画像を投影可能に設置される投影部と、前記移動体の属性を判断する属性判断部と、前記属性判断部が判断した属性に基づき、前記投影部によって前記移動体に対し前記画像を投影する制御を行う投影制御部と、を備えることを特徴とする。
【０００７】
本発明に係る画像投影方法は、移動可能な移動体の属性を判断する属性判断ステップと、前記属性判断部が判断した属性に基づき、前記移動体に対して画像を投影可能に設置された投影部によって前記移動体に対し前記画像を投影する制御を行う投影制御ステップとを含む。
【０００８】
本発明に係るプログラムは、移動可能な移動体の属性を判断する属性判断ステップと、前記属性判断部が判断した属性に基づき、前記移動体に対して画像を投影可能に設置された投影部によって前記移動体に対し前記画像を投影する制御を行う投影制御ステップとをコンピュータに実行させる。
【発明の効果】
【０００９】
本発明によれば、簡易な設備で、多数の投影対象に画像コンテンツを投影することができるという効果を奏する。
【図面の簡単な説明】
【００１０】
【図１】図１は、第一実施形態に係る画像投影システムの構成例を示すブロック図である。
【図２】図２は、第一実施形態に係る画像投影システムのカメラおよび投影部と車両とを説明する図である。
【図３】図３は、第一実施形態に係る画像投影システムにおける処理の流れを示すフローチャートである。
【図４】図４は、第一実施形態に係る画像投影システムによる路線バスの車両への広告映像の投影を説明する図である。
【図５】図５は、第一実施形態に係る画像投影システムによる路線バスの車両への広告映像の投影を説明する図である。
【図６】図６は、第二実施形態に係る画像投影システムの構成例を示すブロック図である。
【図７】図７は、第二実施形態に係る画像投影システムにおける処理の流れを示すフローチャートである。
【図８】図８は、第三実施形態に係る画像投影システムの構成例を示すブロック図である。
【図９】図９は、第三実施形態に係る画像投影システムによる路線バスの車両への広告映像の投影を説明する図である。
【発明を実施するための形態】
【００１１】
以下に添付図面を参照して、本発明に係る画像投影システム、画像投影方法およびプログラムの実施形態を詳細に説明する。なお、以下の実施形態により本発明が限定されるものではない。
【００１２】
［第一実施形態］
図１は、第一実施形態に係る画像投影システムの構成例を示すブロック図である。図２は、第一実施形態に係る画像投影システムのカメラおよび投影部と車両とを説明する図である。画像投影システム１は、移動可能な移動体の属性に基づいて、投影対象範囲２００（図４参照）に画像コンテンツを投影する。
【００１３】
移動可能な移動体は、例えば、路線バスまたは路面電車またはタクシーまたは一般車両を含む路上の車両、線路上の鉄道または地下鉄、水上バスを含む水面上の船舶、路上の通行人の所持品または携行品を含む。本実施形態では、移動可能な移動体は、路上１１０の路線バスとして説明する。移動可能な移動体は、画像コンテンツを投影可能な投影対象範囲２００を有する。
【００１４】
移動体の属性とは、例えば、移動体を運行する運行会社または自治体などを含む団体または特定の個人のことである。または、移動体の属性とは、例えば、特定の団体や個人など移動体の所有者が画像コンテンツの投影を許可しているか否かのことである。本実施形態では、移動体の属性は、移動体を運行する団体のことである。以下、第一実施形態および第三実施形態においては、特定の運行会社が運行する移動体の例として説明する。
【００１５】
投影対象範囲２００は、移動体の外周において、画像コンテンツを投影することが許可された範囲である。投影対象範囲２００は、移動体の外周の所定の範囲である。例えば、移動体が車両の場合、投影対象範囲２００は、車両の側面の中で窓ガラスより下方かつタイヤより上方の矩形状の範囲である。例えば、移動体が鉄道または地下鉄の場合、投影対象範囲２００は、車両のドア部分を含む側面の中で窓ガラスより下方かつ車輪より上方の矩形状の範囲である。例えば、移動体が船舶の場合、投影対象範囲２００は、船体の側面の中で水面より上方の範囲である。例えば、移動体が通行人の所持品または携行品の場合、投影対象範囲２００は、所定の範囲である。本実施形態では、投影対象範囲２００は、路線バスの車両１００のドア部分を含む側面の中で窓ガラスより下方かつタイヤより上方の矩形状の範囲である。投影対象範囲２００は、画像コンテンツの視認性を高めるため、無地または無地に近いことが好ましい。投影対象範囲２００は、画像コンテンツの視認性を高めるため、白色または淡色であることが好ましい。投影対象範囲２００は、移動体の形態ごとに定めれられ記憶されている。投影対象範囲２００は、移動体の外周における限定された所定の範囲に限らず、移動体の外周における投影可能な全ての範囲であってもよい。この場合、移動体における窓ガラスや保安部品の範囲は除くことが適切である。
【００１６】
画像コンテンツは、例えば、広告用の映像または静止画像と、観光案内用の映像または静止画像と、周辺の状況、季節、または、天候に応じたイメージ映像または画像と、行先案内情報または経路情報のような路線情報とを含む。本実施形態では、画像コンテンツは、広告映像Ｃ（図４参照）として説明する。
【００１７】
カメラ２は、路上１１０に設置され、周囲の移動体を撮影する。カメラ２は、投影部３の近傍に配置されている。本実施形態では、カメラ２は、路上１１０の側方の歩道１２０に設置された、高さ数ｍ程度の支持柱１３０の上部に配置されている。カメラ２は、投影部３が移動体に投影可能な範囲である、後述する投影可能範囲３００と同一範囲または広い範囲を撮影可能である。カメラ２は、投影可能範囲３００に位置する移動体の形態を識別可能に撮影する。本実施形態では、カメラ２は、投影可能範囲３００に位置する路線バスの車両１００の形態を識別可能に撮影する。カメラ２は、投影可能範囲３００に位置する移動体の投影対象範囲２００を識別可能に撮影する。本実施形態では、カメラ２は、投影可能範囲３００に位置する路線バスの車両１００の投影対象範囲２００を識別可能に撮影する。撮影された映像データは、例えば毎秒３０フレームの画像から構成される動画像である。カメラ２は、撮影した映像データを制御部４に対して出力する。
【００１８】
投影部３は、移動可能な移動体に対して画像コンテンツを投影可能に設置される。投影部３は、路上１１０に設置され、投影可能範囲３００に画像コンテンツを投影可能である。投影部３は、移動体の投影対象範囲２００に画像コンテンツを投影する。例えば、投影部３は、液晶を使用したプロジェクタ、または、レーザ光源を使用したプロジェクタである。投影部３は、カメラ２の近傍に配置されている。本実施形態では、投影部３は、カメラ２と同様に、支持柱１３０の上部に配置されている。投影部３は、制御部４の投影制御部７が出力した映像信号に基づいて画像コンテンツを投影する。本実施形態では、投影部３は、投影制御部７が出力した映像信号に基づいて、路線バスの投影対象範囲２００に広告映像Ｃを投影する。
【００１９】
投影可能範囲３００は、移動体の投影対象範囲２００より広い範囲である。例えば、投影可能範囲３００は、投影部３から数ｍ程度以上、数１０ｍ程度以下の範囲である。
【００２０】
制御部４は、例えば、ＣＰＵ（Ｃｅｎｔｒａｌ  Ｐｒｏｃｅｓｓｉｎｇ  Ｕｎｉｔ）などで構成された演算処理装置である。制御部４は、記憶部８に記憶されているプログラムをメモリにロードして、プログラムに含まれる命令を実行する。制御部４は、認識部５と、属性判断部６と、投影制御部７とを有する。制御部４には図示しない内部メモリが含まれ、内部メモリは制御部４におけるデータの一時記憶などに用いられる。
【００２１】
認識部５は、カメラ２によって撮影された映像データに画像処理を行い、移動体を認識する。認識部５は、投影可能範囲３００に位置する移動体を認識してもよい。認識部５は、認識結果を属性判断部６と投影制御部７とに対して出力する。
【００２２】
認識部５は、映像データに画像処理を行い、移動体の形態を認識する。より詳しくは、認識部５は、映像データに画像処理を行い、移動体の輪郭を検出して移動体の形態を認識する。本実施形態では、認識部５は、路線バスの車両１００の形態を認識する。本実施形態では、認識部５は、映像データに画像処理を行い、認識辞書を使用したパターンマッチングによって路線バスの車両１００の形態を認識する。認識辞書には、路線バスの車両１００として、例えば、大型車両の形態と小型車両の形態、新型車両の形態と旧型車両の形態のような複数の形態が記憶されている。認識部５は、映像データにおいて、所定以上の大きさの移動体の形態を認識することが好ましい。これにより、例えば、対向車線の移動体のように、投影部３から離れて位置する移動体を除いて認識することができる。
【００２３】
認識部５は、映像データに画像処理を行い、移動体の属性標示を認識する。より詳しくは、認識部５は、映像データに画像処理を行い、認識辞書を使用したパターンマッチングによって移動体の属性標示を認識してもよい。認識部５は、映像データに画像処理を行い、文字認識処理によって移動体の属性標示を認識してもよい。本実施形態では、認識部５は、路線バスの車両１００の属性標示を認識する。
【００２４】
属性標示とは、例えば、移動体の名称または運行する団体を含む移動体の属性を示す標示である。属性標示とは、例えば、移動体の形態の所定位置に配置された、識別標章または文字情報または二次元コードを含む識別情報である。本実施形態では、属性標示は、路線バスの側面に配置されたバスを運行する団体を示す文字情報である。
【００２５】
認識部５は、属性判断部６によって特定の属性の移動体であると判断された移動体について、映像データに画像処理を行い、投影対象範囲２００を認識する。認識部５は、移動体が移動しているとき、移動体に追従して投影対象範囲２００を認識する。本実施形態では、認識部５は、特定の団体である特定の運行会社によって運行されている路線バスの車両１００に追従して投影対象範囲２００を認識する。
【００２６】
認識部５は、投影対象の移動体の投影対象範囲２００と投影部３との間に、例えば、通行人Ｍや二輪車などを含む非投影対象物が存在する場合、非投影対象物と重複する非投影範囲２１０を除いた投影対象範囲２００を認識する。認識部５は、カメラ２によって撮影された映像データに画像処理を行い、投影対象範囲２００に重複する非投影対象物が存在する場合、非投影範囲２１０を除いた投影対象範囲２００を認識する。より詳しくは、認識部５は、映像データに画像処理を行い、認識辞書を使用したパターンマッチングによって非投影対象物を検出してもよい。
【００２７】
属性判断部６は、移動体の属性を判断する。より詳しくは、属性判断部６は、認識部５の認識結果に基づいて、特定の属性の移動体であるか否かを判断する。属性判断部６は、認識部５の認識結果に基づいて、所定の形態の移動体が認識され、移動体に所定の属性標示が配置されていることが認識される場合、特定の属性の移動体であると判断する。属性判断部６は、判断結果を投影制御部７に対して出力する。
【００２８】
本実施形態では、属性判断部６は、認識部５の認識結果に基づいて、特定の運行会社によって運行されている路線バスであるか否かを判断する。より詳しくは、属性判断部６は、認識部５の認識結果に基づいて、路線バスの形態に一致する移動体が認識され、車両１００の側面に特定の運行会社を示す文字情報が配置されていることが認識された場合、特定の運行会社によって運行されている路線バスであると判断する。
【００２９】
投影制御部７は、属性判断部６が判断した属性に基づき、投影部３によって移動体に対し画像コンテンツを投影する制御を行う。より詳しくは、投影制御部７は、属性判断部６によって特定の属性の移動体であると判断された移動体に対して、認識部５によって認識された投影対象範囲２００に、記憶部８に記憶されている画像コンテンツを投影する映像信号を投影部３に対して出力する。投影制御部７は、移動体が移動している状態であっても、認識部５による認識結果に基づき移動体の形態に合わせて移動体に対し画像コンテンツを投影する制御を行う。投影制御部７は、移動体の形態が異なる場合であっても、認識部５による認識結果に基づき移動体の形態に合わせて移動体に対し画像コンテンツを投影する制御を行う。例えば、特定の運行会社によって運行されている路線バスであっても、バスの形式や大きさが異なる場合がある。同様に、バスの差異によって投影対象範囲の形状や大きさ、位置が異なる場合もある。このような場合であっても、認識結果に基づき、適切に画像コンテンツを投影する制御を行う。本実施形態では、投影制御部７は、特定の運行会社が運行する路線バスに追従して、投影対象範囲２００に広告映像Ｃを投影する映像信号を投影部３に対して出力する。
【００３０】
投影制御部７は、認識部５による認識結果に基づいて、特定の属性の移動体の投影対象範囲２００と投影部３との間に非投影対象物が存在する場合、非投影対象物に画像コンテンツを投影しないように制御する。より詳しくは、投影制御部７は、非投影範囲２１０を除いた投影対象範囲２００が認識された場合、非投影範囲２１０を除いた投影対象範囲２００に画像コンテンツを投影する映像信号を出力する。
【００３１】
さらに、投影制御部７は、移動体の移動速度に合わせた長さの時間の画像コンテンツを選択して投影する制御を行ってもよい。例えば、投影制御部７は、画像処理を行って取得した移動体の移動速度が閾値速度より速いとき、短い時間の画像コンテンツを投影する制御を行ってもよい。例えば、投影制御部７は、画像処理を行って取得した移動体の移動速度が閾値速度より遅いとき、長い時間の画像コンテンツを投影する制御を行ってもよい。このようにして、投影制御部７は、移動体の移動速度に合わせて、移動体が投影可能範囲３００を通過する間に、開始から終了までを投影可能な画像コンテンツを投影させるようにしてもよい。または、投影制御部７は、移動体の投影可能範囲３００の通過時間の長さに合わせて、移動体が投影可能範囲３００を通過する間に、開始から終了までを投影可能な画像コンテンツを投影させるようにしてもよい。
【００３２】
記憶部８は、画像投影システム１におけるデータの一時記憶などに用いられる。記憶部８は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ（Ｆｌａｓｈ  Ｍｅｍｏｒｙ）などの半導体メモリ素子、または、ハードディスク、光ディスクなどの記憶装置である。または、図示しない通信装置を介して無線接続される外部記憶装置であってもよい。記憶部８は、画像コンテンツを記憶する。本実施形態では、記憶部８は、広告映像データを記憶する。
【００３３】
次に、図３を用いて、画像投影システム１の制御部４における処理の流れについて説明する。図３は、第一実施形態に係る画像投影システムにおける処理の流れを示すフローチャートである。
【００３４】
画像投影システム１の起動中、常時、カメラ２が周囲を撮影して、撮影した映像データを制御部４の認識部５に対して出力する。認識部５は、映像データについて画像処理を行って、認識結果を制御部４の属性判断部６に出力する。画像投影システム１の起動中、制御部４によって、ステップＳ１１ないしステップＳ２０の処理が繰り返される。
【００３５】
制御部４は、カメラ２が撮影した映像データから、移動体を検出する（ステップＳ１１）。ここで検出する移動体とは、画像コンテンツを投影する対象の移動体であることが好ましい。例えば、移動体が特定の運行会社によって運行される路線バスである場合、バスに該当する大きさおよび形状の移動体を、認識部による認識処理によって検出する。制御部４は、移動体が検出されたと判断した場合（ステップＳ１１でＹｅｓ）、ステップＳ１２に進む。制御部４は、移動体が検出されていない場合（ステップＳ１１でＮｏ）、ステップＳ１１の処理を継続する。
【００３６】
制御部４は、ステップＳ１１で検出した移動体の属性を判断する（ステップＳ１２）。より詳しくは、制御部４は、属性判断部６によって、認識部５の認識結果に基づいて、移動体の属性が、特定の運行会社によって運行されている路線バスであるかを判断する。制御部４は、属性判断部６によって、認識部５の認識結果に基づいて、所定の形態の移動体が認識され、移動体に所定の属性標示が配置されていることが認識される場合、特定の属性の移動体であると判断する。そして、制御部４は、ステップＳ１３に進む。
【００３７】
制御部４は、特定の運行会社によって運行されている路線バスの車両１００であるか否かを判断する（ステップＳ１３）。より詳しくは、制御部４は、属性判断部６の判断結果に基づいて、特定の運行会社によって運行されている路線バスであると判断した場合(ステップＳ１３でＹｅｓ)、ステップＳ１４に進む。制御部４は、属性判断部６の判断結果に基づいて、特定の運行会社によって運行されている路線バスではないと判断した場合(ステップＳ１３でＮｏ)、処理を終了する。
【００３８】
制御部４は、投影対象範囲２００を認識する（ステップＳ１４）。より詳しくは、制御部４は、認識部５によって、映像データに画像処理を行い、特定の運行会社によって運行されている路線バスの車両１００に追従して投影対象範囲２００を認識する。また、制御部４は、認識部５によって、映像データに画像処理を行い、投影対象範囲２００に重複する非投影対象物が存在する場合、非投影範囲２１０を除いた投影対象範囲２００を認識する。そして、制御部４は、ステップＳ１５に進む。
【００３９】
制御部４は、投影可能範囲３００に投影対象範囲２００が存在するか否かを判断する(ステップＳ１５)。制御部４は、認識部５による認識結果に基づいて、投影可能範囲３００に投影対象範囲２００の全体が含まれるとき、投影可能範囲３００に投影対象範囲２００が存在すると判断する(ステップＳ１５でＹｅｓ)。そして、制御部４は、ステップＳ１７に進む。制御部４は、認識部５による認識結果に基づいて、投影可能範囲３００に投影対象範囲２００の全体が含まれないとき、投影可能範囲３００に投影対象範囲２００が存在しないと判断する(ステップＳ１５でＮｏ)。そして、制御部４は、ステップＳ１６に進む。
【００４０】
制御部４は、路線バスの進行方向が投影可能範囲３００から離間する方向であるか否かを判断する(ステップＳ１６)。より詳しくは、制御部４は、映像データに画像処理を行い、路線バスの進行方向が投影可能範囲３００から離間する方向であると判断される場合(ステップＳ１６でＹｅｓ)、処理を終了する。制御部４は、映像データに画像処理を行い、路線バスの進行方向が投影可能範囲３００から離間する方向ではないと判断される場合(ステップＳ１６でＮｏ)、ステップＳ１５の処理を再度実行する。
【００４１】
制御部４は、広告映像データを取得する（ステップＳ１７）。より詳しくは、制御部４は、記憶部８に記憶している広告映像Ｃの広告映像データを取得する。そして、制御部４は、ステップＳ１８に進む。
【００４２】
制御部４は、広告映像Ｃを投影対象範囲２００に投影する(ステップＳ１８)。より詳しくは、制御部４は、投影制御部７によって、特定の運行会社が運行する路線バスに追従して、投影対象範囲２００に広告映像Ｃを投影する映像信号を投影部３に対して出力する。制御部４は、投影制御部７によって、非投影範囲２１０を除いた投影対象範囲２００が認識された場合、非投影範囲２１０を除いた投影対象範囲２００に画像コンテンツを投影する映像信号を出力する。そして、制御部４は、ステップＳ１９に進む。
【００４３】
制御部４は、投影可能範囲３００から投影対象範囲２００が逸脱したか否かを判断する(ステップＳ１９)。制御部４は、認識部５による認識結果に基づいて、投影可能範囲３００に投影対象範囲２００の全体が含まれないとき、投影可能範囲３００から投影対象範囲２００が逸脱したと判断する(ステップＳ１９でＹｅｓ)。そして、制御部４は、ステップＳ２０に進む。制御部４は、認識部５による認識結果に基づいて、投影可能範囲３００に投影対象範囲２００の全体が含まれるとき、投影可能範囲３００から投影対象範囲２００が逸脱していないと判断する(ステップＳ１９でＮｏ)。そして、制御部４は、ステップＳ１８の処理を再度実行する。
【００４４】
制御部４は、広告映像Ｃの投影を終了する(ステップＳ２０)。制御部４は、処理を終了する。
【００４５】
図４を用いて、画像投影システム１によって、特定の運行会社によって運行されている路線バスの車両１００の投影対象範囲２００に広告映像Ｃを投影する一例について説明する。図４は、第一実施形態に係る画像投影システムによる路線バスの車両への広告映像Ｃの投影を説明する図である。図４において、路線バスの進行方向は、矢印Ｄの方向である。
【００４６】
図４において一番上に示す状態のように、路線バスの車両１００における投影対象範囲２００全体が投影可能範囲３００に含まれていないとき、制御部４は、ステップＳ１５において、投影可能範囲３００に投影対象範囲２００が存在しないと判断する(ステップＳ１５でＮｏ)。この状態においては、投影可能範囲３００に含まれている移動体がバスであり、さらに特定の運行会社によって運行されている路線バスであること、つまり広告映像Ｃの投射対象である移動体であることが判断されている。そして、制御部４は、路線バスの進行方向は投影可能範囲３００から離間する方向ではないと判断する(ステップＳ１６でＮｏ)。そして、制御部４は、ステップＳ１５を再度実行する。このように、制御部４は、広告映像Ｃを投影しない。
【００４７】
図４において上から２番目と上から３番目に示す状態のように、路線バスが矢印Ｄの方向に移動し、路線バスの車両１００の投影対象範囲２００全体が投影可能範囲３００に含まれるとき、制御部４は、ステップＳ１５において、投影可能範囲３００に投影対象範囲２００が存在すると判断する(ステップＳ１５でＹｅｓ)。そして、制御部４は、ステップＳ１７において、広告映像データを取得する。そして、制御部４は、ステップＳ１８において、広告映像Ｃを投影対象範囲２００に投影する。そして、制御部４は、ステップＳ１９において、投影可能範囲３００から投影対象範囲２００が逸脱していないと判断する(ステップＳ１９でＮｏ)。そして、制御部４は、ステップＳ１８の処理を再度実行する。制御部４は、ステップＳ１８とステップＳ１９との処理を、ステップＳ１９において、投影可能範囲３００から投影対象範囲２００が逸脱していると判断されるまで(ステップＳ１９でＹｅｓ)、繰り返し実行する。
【００４８】
図４において一番下に示す状態のように、路線バスが矢印Ｄの方向にさらに移動して、路線バスの車両１００の投影対象範囲２００全体が投影可能範囲３００に含まれていないとき、制御部４は、ステップＳ１９において、投影可能範囲３００から投影対象範囲２００が逸脱していると判断する(ステップＳ１９でＹｅｓ)。そして、制御部４は、ステップＳ２０において、広告映像Ｃの投影を終了して、処理を終了する。
【００４９】
図５を用いて、画像投影システム１によって、特定の運行会社によって運行されている路線バスの車両１００の投影対象範囲２００に広告映像Ｃを投影する他の例について説明する。図５は、第一実施形態に係る画像投影システムによる路線バスの車両への広告映像の投影を説明する図である。図５において、投影対象範囲２００に重複する通行人Ｍが存在している。
【００５０】
図５において一番上に示す状態のように、路線バスの車両１００における投影対象範囲２００全体が投影可能範囲３００に含まれていないとき、制御部４は、広告映像Ｃを投影しない。
【００５１】
図５において上から２番目と上から３番目に示す状態のように、路線バスの車両１００の投影対象範囲２００全体が投影可能範囲３００に含まれるとき、制御部４は、広告映像Ｃを非投影範囲２１０を除いた投影対象範囲２００に投影する。
【００５２】
図５において一番下に示す状態のように、路線バスが矢印Ｄの方向にさらに移動して、路線バスの車両１００の投影対象範囲２００全体が投影可能範囲３００に含まれていないとき、制御部４は、広告映像Ｃの投影を終了する。
【００５３】
このようにして、制御部４は、特定の運行会社によって運行されている路線バスの車両１００の投影対象範囲２００が投影可能範囲３００に含まれるとき、広告映像Ｃを投影対象範囲２００に投影する。また、制御部４は、投影対象範囲２００に重複する非投影対象物が存在する場合、非投影範囲２１０を除いた投影対象範囲２００に広告映像Ｃを投影する。
【００５４】
上述したように、本実施形態は、路線バスの車両１００に設備を搭載することなく、特定の運行会社によって運行されている路線バスの車両１００の投影対象範囲２００に広告映像Ｃを投影することができる。このように、本実施形態によれば、簡易な設備で、多数の路線バスの車両１００に広告映像Ｃを投影することができる。本実施形態によれば、特定の運行会社によって運行されている路線バスのすべての車両１００に、一つの画像投影システム１によって、広告映像Ｃを投影することができる。
【００５５】
本実施形態は、特定の運行会社によって運行されている路線バスの車両１００が移動している状態であっても、認識部５による認識結果に基づいて、路線バスの車両１００の形態に合わせて投影対象範囲２００に広告映像Ｃを投影することができる。本実施形態によれば、投影される広告映像Ｃの視認性を向上することができる。
【００５６】
本実施形態は、特定の運行会社によって運行されている路線バスの車両１００の形態が異なる場合であっても、認識部５による認識結果に基づいて、路線バスの車両１００の形態に合わせて投影対象範囲２００に広告映像Ｃを投影することができる。本実施形態によれば、例えば、大型車両の形態と小型車両の形態、新型車両の形態と旧型車両の形態のような複数の形態の車両１００に、適切に広告映像Ｃを投影することができる。
【００５７】
本実施形態によれば、投影対象範囲２００に重複する非投影対象物が存在する場合、非投影範囲２１０を除いた投影対象範囲２００に広告映像Ｃを投影することができる。本実施形態は、特定の運行会社によって運行されている路線バスの車両１００の投影対象範囲２００と投影部３との間に、例えば、通行人Ｍや二輪車などを含む非投影対象物が存在する場合、非投影対象物を避けて投影対象範囲２００のみに広告映像Ｃを投影することができる。
【００５８】
本実施形態は、例えば、路線バスの停留所や鉄道の踏切などに、カメラ２と投影部３とを設置することによって、停留所の近傍に位置する路線バスの車両１００や、踏切を通過する鉄道の車両に、広告映像Ｃを投影することができる。このように、本実施形態によれば、停留所や踏切の近傍に位置する通行人に、広告映像Ｃを視認させることができる。
【００５９】
本実施形態は、例えば、路線バスの車両１００に、行先案内または系統図を拡大して表示してもよい。これにより、本実施形態は、従来の路線バスの乗降口付近に掲示された行先案内または系統図より、可読性を向上することができる。本実施形態は、例えば、路線バスの車両１００に、多言語の行先案内または系統図を表示してもよい。これにより、本実施形態は、より多くの乗客の利便性を向上することができる。
【００６０】
［第二実施形態］
図６、図７を参照しながら、本実施形態に係る画像投影システム１Ａについて説明する。図６は、第二実施形態に係る画像投影システムの構成例を示すブロック図である。図７は、第二実施形態に係る画像投影システムにおける処理の流れを示すフローチャートである。画像投影システム１Ａは、基本的な構成は第一実施形態の画像投影システム１と同様である。以下の説明においては、画像投影システム１と同様の構成要素には、同一の符号または対応する符号を付し、その詳細な説明は省略する。
【００６１】
本実施形態では、移動可能な移動体は、一般車両１００Ａである。
【００６２】
本実施形態では、移動体の属性は、自車両への広告映像Ｃの投影を許可するか否かの投影許可情報を有しているか否かのことである。投影許可情報は、自車両が広告映像Ｃの投影を許可するか否かと、車両識別記号または車種または車両の色の少なくともいずれかを含む車両情報とを含む。さらに、投影許可情報は、投影を許可する広告映像Ｃの種類を含んでもよい。投影許可情報は、例えば、通信装置を介して無線接続されるサーバ装置に記憶される。
【００６３】
一般車両１００Ａのユーザは、例えば、スマートフォンまたはナビゲーションシステムを介して、移動体の属性である投影許可情報を予め登録する。投影許可情報は、例えば、通信装置を介して無線接続されるサーバ装置に記憶される。また、広告映像Ｃの投影を許可した一般車両１００Ａは、自車両の位置情報をサーバ装置に送信する。
【００６４】
認識部５Ａは、カメラ２によって撮影された映像データに画像処理を行い、移動体を認識する。認識部５Ａは、属性判断部６Ａによって広告映像Ｃの投影が許可された広告投影対象の一般車両１００Ａであると判断された一般車両１００Ａに追従して投影対象範囲２００を認識する。
【００６５】
属性判断部６Ａは、移動体が画像コンテンツの投影を許可しているかを判断する。本実施形態では、属性判断部６Ａは、認識部５Ａによる認識結果に基づいて、投影可能範囲３００に車両が存在する場合、サーバ装置のデータベースから投影許可情報を取得し、広告投影対象の一般車両１００Ａであるか否かを判断する。より詳しくは、例えば、属性判断部６Ａは、映像データに基づいて算出した車両の位置情報と、投影許可情報に含まれる位置情報とが一致するとき、広告投影対象の一般車両１００Ａであると判断する。または、例えば、属性判断部６Ａは、映像データに基づいて算出した車両の車両情報と、投影許可情報に含まれる車両情報とが一致するとき、広告投影対象の一般車両１００Ａであると判断する。または、属性判断部６Ａは、これらを組み合わせて広告投影対象の一般車両１００Ａであると判断してもよい。
【００６６】
投影制御部７Ａは、移動体が画像コンテンツの投影を許可している移動体である場合、移動体に対し画像コンテンツを投影する制御を行う。本実施形態では、投影制御部７Ａは、広告投影対象の一般車両１００Ａに追従して、投影対象範囲２００に広告映像Ｃを投影する映像信号を投影部３に対して出力する制御を行う。
【００６７】
次に、図７を用いて、画像投影システム１Ａにおける処理の流れについて説明する。図８に示すフローチャートのステップＳ３４、ステップＳ３５、ステップＳ３９の処理は、図６に示すフローチャートのステップＳ１４ないしステップＳ１６、ステップＳ１９、ステップＳ２０の処理と同様の処理を行う。
【００６８】
制御部４は、カメラ２が撮影した映像データから、移動体を検出する（ステップＳ３１）。ここで検出する移動体とは、広告投影対象の一般車両となり得る車両であることが好ましい。例えば、広告投影対象の一般車両として乗用車を含む場合、乗用車に該当する大きさおよび形状の移動体を、認識部による認識処理によって検出する。さらに例えば、広告投影対象の一般車両としてトラックを含む場合、トラックに該当する大きさおよび形状の移動体を、認識部による認識処理によって検出する。制御部４は、移動体が検出されたと判断した場合（ステップＳ３１でＹｅｓ）、ステップＳ３２に進む。制御部４は、移動体が検出されていない場合（ステップＳ３１でＮｏ）、ステップＳ３１の処理を継続する。
【００６９】
制御部４Ａは、ステップＳ３１で検出した移動体の属性を判断する（ステップＳ３２）。より詳しくは、制御部４Ａは、属性判断部６Ａによって、認識部５Ａによる認識結果と投影許可情報とに基づいて、移動体の属性が広告投影対象の車両であるかを判断する。そして、制御部４Ａは、ステップＳ３３に進む。
【００７０】
制御部４Ａは、広告投影対象の車両であるか否かを判断する（ステップＳ３３）。より詳しくは、制御部４Ａは、属性判断部６Ａの判断結果に基づいて、広告投影対象の一般車両１００Ａであると判断される場合(ステップＳ３３でＹｅｓ)、ステップＳ３４に進む。制御部４Ａは、属性判断部６Ａの判断結果に基づいて、広告投影対象の一般車両１００Ａではないと判断される場合  (ステップＳ３３でＮｏ)、処理を終了する。
【００７１】
制御部４Ａは、当該車両の進行方向が投影可能範囲３００から離間する方向であるか否かを判断する(ステップＳ３６)。より詳しくは、制御部４Ａは、映像データに画像処理を行い、当該車両の進行方向が投影可能範囲３００から離間する方向であると判断される場合(ステップＳ３６でＹｅｓ)、処理を終了する。制御部４Ａは、映像データに画像処理を行い、当該車両の進行方向が投影可能範囲３００から離間する方向ではないと判断される場合(ステップＳ３６でＮｏ)、ステップＳ３５の処理を再度実行する。
【００７２】
制御部４Ａは、当該車両用の広告映像データを取得する（ステップＳ３７）。より詳しくは、制御部４Ａは、投影許可情報に基づいて、記憶部８に記憶している広告映像データの中から、当該車両用の広告映像データを取得する。そして、制御部４Ａは、ステップＳ３８に進む。
【００７３】
制御部４Ａは、当該車両用の広告映像Ｃを投影対象範囲２００に投影する(ステップＳ３８)。より詳しくは、制御部４Ａは、投影制御部７によって、広告投影対象の車両に追従して、投影対象範囲２００に当該車両用の広告映像Ｃを投影する映像信号を投影部３に対して出力する。そして、制御部４Ａは、ステップＳ３９に進む。
【００７４】
制御部４Ａは、当該車両用の広告映像Ｃの投影を終了する(ステップＳ４０)。制御部４Ａは、処理を終了する。
【００７５】
上述したように、本実施形態は、広告投影対象の車両に追従して、投影対象範囲２００に当該車両用の広告映像Ｃを投影することができる。このように、本実施形態によれば、簡易な設備で、多数の投影対象に画像コンテンツを投影することができる。
【００７６】
さらに、本実施形態では、広告映像Ｃを投影した車両に対して、広告主によって割引サービスを含む各種サービスを提供するようにしてもよい。
【００７７】
［第三実施形態］
図８、図９を参照しながら、本実施形態に係る画像投影システム１Ｂについて説明する。図８は、第三実施形態に係る画像投影システムの構成例を示すブロック図である。図９は、第三実施形態に係る画像投影システムによる路線バスの車両への広告映像の投影を説明する図である。画像投影システム１Ｂは、基本的な構成は第一実施形態の画像投影システム１と同様である。
【００７８】
画像投影システム１Ｂは、複数のカメラと複数の投影部とを有する点で、第一実施形態の画像投影システム１と異なる。本実施形態では、画像投影システム１Ｂは、２台のカメラ２１Ｂ、カメラ２２Ｂと、２台の投影部３１Ｂ、投影部３２Ｂと、１つの制御部４Ｂとを有する。
【００７９】
カメラ２１Ｂとカメラ２２Ｂとは、カメラ２と同様に構成されている。本実施形態では、カメラ２１Ｂの撮影範囲とカメラ２２Ｂの撮影範囲とは、路線バスの進行方向に沿った方向において連続している。
【００８０】
投影部３１Ｂと投影部３２Ｂとは、投影部３と同様に構成されている。本実施形態では、投影部３１Ｂの投影可能範囲３００１と投影部３２Ｂの投影可能範囲３００２とは、路線バスの進行方向に沿った方向において連続している。
【００８１】
認識部５Ｂは、カメラ２１Ｂとカメラ２２Ｂとによって撮影された映像データに画像処理を行い、投影可能範囲３００１に含まれる範囲を投影対象範囲２００１として認識し、投影可能範囲３００２に含まれる範囲を投影対象範囲２００２として認識する。認識部５Ｂは、路線バスが投影可能範囲３００１と投影可能範囲３００２とを跨いで位置しているとき、投影対象範囲２００１と投影対象範囲２００２とを連続した範囲として認識する。
【００８２】
属性判断部６Ｂは、認識部５Ｂによる認識結果に基づいて、特定の運行会社によって運行されている路線バスであるか否かを判断する。
【００８３】
投影制御部７Ｂは、特定の運行会社が運行する路線バスに追従して、投影対象範囲２００１に広告映像Ｃ１を投影する映像信号を投影部３１Ｂに対して出力する制御を行う。投影制御部７Ｂは、特定の運行会社が運行する路線バスに追従して、投影対象範囲２００２に広告映像Ｃ２を投影する映像信号を投影部３２Ｂに対して出力する制御を行う。投影制御部７Ｂは、路線バスが投影可能範囲３００１と投影可能範囲３００２とを跨いで位置しているとき、投影対象範囲２００１に投影する広告映像Ｃ１と、投影対象範囲２００２に投影する広告映像Ｃ２ととで連続した一つの映像となるように映像信号を出力する制御を行う。
【００８４】
図９を用いて、画像投影システム１Ｂによって、路線バスの車両１００に広告映像Ｃを投影する一例について説明する。
【００８５】
図９において一番上に示す状態のように、路線バスの車両１００の投影対象範囲２００１全体が投影可能範囲３００１に含まれていないとき、制御部４Ｂは、広告映像Ｃ１と広告映像Ｃ２とを投影しない。
【００８６】
図９において上から２番目に示す状態のように、路線バスの車両１００の全体が投影可能範囲３００１に含まれるとき、制御部４Ｂは、広告映像Ｃ１を投影対象範囲２００１に投影する。
【００８７】
図９において上から３番目に示す状態のように、路線バスの車両１００が投影可能範囲３００１と投影可能範囲３００２とに跨って位置するとき、制御部４Ｂは、投影対象範囲２００１に広告映像Ｃ１を投影し、投影対象範囲２００２に広告映像Ｃ２を投影する。投影対象範囲２００１に投影する広告映像Ｃ１と、投影対象範囲２００２に投影する広告映像Ｃ２とで連続した一つの映像が投影される。
【００８８】
図９において下から２番目に示す状態のように、路線バスの車両１００の全体が投影可能範囲３００２に含まれるとき、制御部４Ｂは、広告映像Ｃ２を投影対象範囲２００２に投影する。
【００８９】
図９において一番下に示す状態のように、路線バスが矢印Ｄの方向にさらに移動して、路線バスの車両１００の投影対象範囲２００２全体が投影可能範囲３００２に含まれていないとき、制御部４Ｂは、広告映像Ｃ２の投影を終了する。
【００９０】
上述したように、本実施形態は、複数のカメラ２と複数の投影部３とによって、より広い範囲にわたって画像コンテンツを投影することができる。本実施形態によれば、移動体に投影する画像コンテンツをより多様なものにすることができる。
【００９１】
本実施形態によれば、例えば、繁華街のように通行人の多い所定の通りに沿って移動する移動体に、長時間に亘って画像コンテンツを投影することができる。
【００９２】
さて、これまで本発明に係る画像投影システム１について説明したが、上述した実施形態以外にも種々の異なる形態にて実施されてよいものである。
【００９３】
図示した画像投影システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【００９４】
画像投影システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００９５】
上記した構成要素には、当業者が容易に想定できるもの、実質的に同一のものを含む。さらに、上記した構成は適宜組み合わせが可能である。また、本発明の要旨を逸脱しない範囲において構成の種々の省略、置換または変更が可能である。
【００９６】
属性判断部６は、カメラ２によって撮影された映像データに画像処理を行うものとしたが、これに限定されない。属性判断部６は、移動体から通信機器を介して無線で送信される属性情報に基づいて移動体の属性を判断してもよい。この場合、属性情報は、特定の属性の移動体であることと移動体の位置情報とを含む。
【００９７】
画像投影システム１は、例えば、周囲の通行人の性別、年齢を含む通行人情報に応じて、投影する画像コンテンツを変えてもよい。カメラ２は、移動体とともに、周辺の通行人を識別可能に撮影する。制御部４は、図示しない周辺状況取得部を有する。周辺状況取得部は、カメラ２によって撮影された映像データに画像処理を行って、周囲の通行人の、例えば、性別、年齢を含む通行人情報を取得する。そして、投影制御部７は、周辺状況取得部で取得した通行人情報に基づいて、投影する画像コンテンツを変えてもよい。例えば、周囲の通行人に学生が多い場合、学生向けの広告映像Ｃを投影してもよい。例えば、周囲の通行人に高齢者が多い場合、路線バスの車両１００に拡大した路線図を投影してもよい。例えば、周囲の通行人に外国人が多い場合、路線バスの車両１００に多言語の行先案内を投影してもよい。これによって、周囲の通行人に合わせて、より適切な画像コンテンツを投影することができる。
【００９８】
画像投影システム１は、移動体が路線バスや鉄道の場合、路線バスや鉄道の行き先に合わせて、投影する画像コンテンツを変えてもよい。制御部４は、図示しない行先情報取得部を有する。行先情報取得部は、カメラ２によって撮影された映像データに画像処理を行って、例えば、路線バスや鉄道などの行先情報を取得する。そして、投影制御部７は、行先情報取得部によって取得した行先情報に基づいて、移動体が路線バスや鉄道の場合、路線バスや鉄道の行き先に合わせて、投影する画像コンテンツを変えてもよい。例えば、行き先が市街地である場合、市街地に位置する商業施設の広告映像Ｃを投影してもよい。例えば、行き先が観光地である場合、観光地の観光案内用の映像を投影してもよい。これによって、周囲の通行人に合わせて、より適切な画像コンテンツを投影することができる。
【００９９】
画像投影システム１は、例えば、時間帯、天候、季節を含む外部要因に合わせて、投影する画像コンテンツを変えてもよい。例えば、夜間であれば、星空の映像を投影してもよい。例えば、曇天または雨天であれば、天気予報の画像を投影してもよい。例えば、春季であれば、桜の映像を投影してもよい。これによって、外部要因に合わせて、より適切な画像コンテンツを投影することができる。
【０１００】
画像投影システム１は、複数の運行会社の各々に対応した画像コンテンツを投影可能とし、認識部５による認識結果に基づき、運行会社ごとの移動体に異なる画像コンテンツを投影してもよい。
【０１０１】
画像投影システム１を複数配置して、各投影部３によって投影される画像コンテンツが連動したり関連したりする画像となるように投影してもよい。これによって、移動体に投影する画像コンテンツをより多様なものにすることができる。
【符号の説明】
【０１０２】
１        画像投影システム
２        カメラ
３        投影部
４        制御部
５        認識部
６        属性判断部
７        投影制御部
８        記憶部
１００    車両
１１０    路上
１２０    歩道
１３０    支持柱
２００    投影対象範囲
３００    投影可能範囲
Ｃ        広告映像
【図１】
2019080163.tif 000003
【図２】
2019080163.tif 000004
【図３】
2019080163.tif 000005
【図４】
2019080163.tif 000006
【図５】
2019080163.tif 000007
【図６】
2019080163.tif 000008
【図７】
2019080163.tif 000009
【図８】
2019080163.tif 000010
【図９】
2019080163.tif 000011